(57)【特許請求の範囲】
【請求項１】
胴部の表面に、水平方向に対して斜め方向の線状凸部を複数、等間隔に平行に設け、かつ、前記斜め方向の線状凸部と補角関係になる線状凸部を複数、同様に等間隔に平行に設け、線状凸部の交点より水平方向で隣り合った交点を結ぶように線状凹部を設けた包装容器であって、
前記線状凸部は、その隣り合った交点どうしの中央部分で、隣り合った交点を結ぶ線と直交する方向に幅が広く膨らんだ柳葉形状であり、
前記線状凸部において隣り合った交点を結ぶ方向に延在する凸状リブであって、柳葉形状の前記線状凸部の中央に凸状リブを有しており、
前記線状凹部は、その隣り合った交点どうしの中央部分で、隣り合った交点を結ぶ線と直交する方向に幅が広く膨らんだ柳葉形状であり、
前記線状凹部において隣り合った交点を結ぶ方向に延在する凹状リブであって、柳葉形状の前記線状凹部の中央に凹状リブを有している、
ことを特徴とする包装容器。
【請求項２】
前記交点のある位置の横断面で、隣接する交点を結ぶ形状が正方形であることを特徴とする請求項１に記載の包装容器。
【発明の詳細な説明】
【技術分野】
【０００１】
本発明は、包装容器に関するものである。特に、縦に押し潰すことができる包装容器に関するものである。
【背景技術】
【０００２】
液体などの内容物を収納する包装容器で、胴部が蛇腹のようになっていて、空の状態で縦に押し潰すことのできる包装容器があり、このような包装容器は、蛇腹容器と呼ばれ、通常、プラスチックの成型容器でできている。
【０００３】
このような包装容器は、内容物を入れる前に潰した状態で保管することができ、また、廃棄するときに減容化して廃棄することもでき、便利である。さらには、容器を押し潰すことにより、粘稠性のある内容物を押し出して使用する用途にも用いられている。
【０００４】
このような包装容器として、たとえば、容器胴部の周方向に一周する凸部と、凹部とを上下に繰り返し設けて、押し潰し可能としたプラスチック容器がある（たとえば、特許文献１）。
【０００５】
公知文献を以下に示す。
【先行技術文献】
【特許文献】
【０００６】
【特許文献１】特開平１０−１６７２４３号公報
【発明の概要】
【発明が解決しようとする課題】
【０００７】
前述のような、従来の蛇腹容器などの押し潰し可能な容器においては、潰した時にひずみが発生して、容積があまり小さくならず、潰れ方もなりゆきになってしまうことがあった。
【０００８】
本発明は上記のような事情に鑑みてなされたもので、縦に押し潰したときに容積が小さくなり、全周で均一に潰れやすい容器を提供することを課題としている。
【課題を解決するための手段】
【０００９】
本発明は係る課題に鑑みなされたものであり、請求項１の発明は、
胴部の表面に、水平方向に対して斜め方向の線状凸部を複数、等間隔に平行に設け、かつ、前記斜め方向の線状凸部と補角関係になる線状凸部を複数、同様に等間隔に平行に設け、線状凸部の交点より水平方向で隣り合った交点を結ぶように線状凹部を設けた包装容器であって、
前記線状凸部は、その隣り合った交点どうしの中央部分で、隣り合った交点を結ぶ線と直交する方向に幅が広く膨らんだ柳葉形状であり、
前記線状凸部において隣り合った交点を結ぶ方向に延在する凸状リブであって、柳葉形状の前記線状凸部の中央に凸状リブを有しており、
前記線状凹部は、その隣り合った交点どうしの中央部分で、隣り合った交点を結ぶ線と
直交する方向に幅が広く膨らんだ柳葉形状であり、
前記線状凹部において隣り合った交点を結ぶ方向に延在する凹状リブであって、柳葉形状の前記線状凹部の中央に凹状リブを有している、
ことを特徴とする包装容器である。
本発明は、線状凸部を、その隣り合った交点どうしの中央部分で幅が広く膨らんだ柳葉形状とし、その柳葉形状の中央に凸状リブを設けたので、凸状リブの部分が薄肉になり、容易に押し潰すことができ、また、押し潰したときに、全周でさらに均一に押し潰すことができる。
本発明は、線状凹部を、その隣り合った交点どうしの中央部分で幅が広く膨らんだ柳葉形状とし、その柳葉形状の中央に凹状リブを設けたので、凹状リブの部分が薄肉になり、容易に押し潰すことができ、また、押し潰したときに、全周でさらに均一に押し潰すことができる。
【００１０】
本発明の包装容器は、以上のような構成であるので、線状凸部の交点が、上下方向でずれた位置になるので、縦に押し潰したときに、交点の上下での重なりが少なくなり、押し潰したときの包装容器の容積が小さくなり、また、全周で均一に押し潰すことができる。
【００１１】
本発明の請求項２の発明は、前記交点のある位置の横断面で、隣接する交点を結ぶ形状が正方形であることを特徴とする請求項１に記載の包装容器である。
【００１２】
本発明は、交点のある位置の横断面で、隣接する交点を結ぶ形状が正方形であるので、
線状凸部の交点の上下での重なりが、４５°ずれた位置になり、容器の容量を大きくしても、押し潰したときの容積を小さくすることができ、また、全周で均一に押し潰すことができる。
【発明の効果】
【００１７】
本発明の包装容器は、押し潰したときにひずみが発生しにくく、押し潰したときの容積が小さく、全周で均一に潰すことができる。
【図面の簡単な説明】
【００１８】
【図１】本発明の包装容器の一例を模式的に正面で示した説明図である。
【図２】本発明の包装容器の一例を模式的に平面で示した説明図である。
【図３】本発明の包装容器の一例を図２の矢印Ｘの方向から見た説明図である。
【図４】図３のＨ−Ｈ部分の断面図である。
【図５】本発明の包装容器の一例の縦に押し潰した状態を模式的に正面で示した説明図である。
【発明を実施するための形態】
【００１９】
以下、本発明を実施するための形態につき説明する。
【実施例】
【００２０】
図１は、本発明の包装容器の一例を模式的に正面で示した説明図である。図２は、本発明の包装容器の一例を模式的に平面で示した説明図である。
本例の包装容器１００は、図１の正面図に示すように、首部１、肩部２、胴部３、底部４からなっている。この包装容器１００の製造は、熱可塑性樹脂を用いて、ブロー成型により行うことができる。
【００２１】
首部１は略円筒形状になっており、上端部は、開口された口部になっている。また、首部１の上端側の外面には、雄螺子部１１が設けられていて、対応する雌螺子部の設けられたキャップ（図示しない）と螺合して密閉することができる。また、肩部２は、細い円形の首部１と太い胴部３との間を連結している。
【００２２】
胴部３には、表面に水平方向に対して斜め方向の線状凸部３１が複数、等間隔に平行に設けられていて、かつ、斜め方向の線状凸部３１と補角関係になる線状凸部３２が複数、
同じように等間隔に平行に設けている。
【００２３】
また、線状凸部３１、３２の交点３３より水平方向で隣り合った交点３３を結ぶように線状凹部３４が設けられている。そして、底部４は、胴部３の下方に連設されて、下端部を閉鎖して底を形成している。
【００２４】
図２の平面図のように、交点３３のある位置の横断面では、隣接する交点３３を結ぶ形状が正方形になっている。また、交点３３を結ぶ線が、線状凹部３４になっている。このため、線状凸部３１，３２の交点３３の上下での重なりが、４５°ずれた位置になり、包装容器１００の容量を大きくしても、押し潰したときの容積を小さくすることができる。また、全周で均一に胴部３を押し潰すことができる。
【００２５】
図３は、図１の正面図に対して、包装容器１００を周方向に少し回転させて、図２の矢印Ｘの方向から見た図である。また、図４は、図３のＨ−Ｈ部分の断面図である。図５は、本発明の包装容器の一例の縦に押し潰した状態を模式的に正面で示した説明図である。
【００２６】
線状凸部３１、３２の両サイドは傾斜していて、山脈の尾根のようになっていて、その隣り合った交点３３どうしの間の中央部分では、尾根に近づくほど傾斜が緩やかになっていて、尾根の幅が広く膨らみ柳葉形状になっている。その柳葉形状の尾根の中央には、凸状リブ３５が設けられている。なお、図３及び図４において、符号３１ａ，３１ｂは、柳葉形状の線状凸部３１の両端縁を示している。すなわち、これらの図において、符号３１ａ，３１ｂで囲まれた領域が柳葉形状の線状凸部３１である。
【００２７】
また、線状凹部３４の両サイドも外方に向かって傾斜していて、Ｖ字谷のようになっていて、その隣り合った交点３３どうしの間の中央部分では、Ｖ字谷の底に近づくほど傾斜が緩やかになっていて、Ｖ字谷の底の幅が広く膨らみ柳葉形状になっている。その柳葉形状のＶ字谷の底の中央には、凹状リブ３６が設けられている。
【００２８】
このように、線状凸部３１、３２を、中央部分で幅が広く膨らんだ柳葉形状とし、その柳葉形状の中央に凸状リブ３５を設け、また、線状凹部３４も、中央部分で幅が広く膨らんだ柳葉形状とし、その柳葉形状の中央に凹状リブ３６を設けていて、凸状リブ３５や凹状リブ３６の部分が薄肉になっているので、図５のように、包装容器１００を縦に押し潰したときに、容易に押し潰すことができ、また、全周でさらに均一に押し潰すことができる。
【００２９】
以上のように、本発明の包装容器は、線状凸部の交点が、上下方向でずれた位置になるので、縦に押し潰したときに、交点の上下での重なりが少なくなり、押し潰したときの包装容器の容積が小さくなり、また、全周で均一に押し潰すことができる。
【００３０】
そして、本発明の包装容器を、熱可塑性樹脂として、ポリエチレンやポリプロピレンを用いて、ブロー成型により製造すると、包装容器に押し潰しても元の形状になろうとする復元力が働く。
【００３１】
そのため、内容物を充填する前に、包装容器を押し潰した状態でシュリンク包装するなどにより、容積を小さくして保管しておき、使用するときには、シュリンク包装を取り去るなどにより、包装容器が、その復元力によって元の形状に戻り、本来の容量で使用することができる。
【００３２】
また、本発明の包装容器を、熱可塑性樹脂として、ポリエチレンテレフタレートを用いて、インジェクション成型したパリソンを用いて、延伸ブロー成型して製造して、出来た包装容器は押し潰すと、元の形状に戻らないので、廃棄するときに減容化させて廃棄することができる。
【符号の説明】
【００３３】
１００・・・包装容器
１・・・首部
２・・・肩部
３・・・胴部
４・・・底部
１１・・・雄螺子部
３１、３２・・・線状凸部
３３・・・交点
３４・・・線状凹部
３５・・・凸状リブ
３６・・・凹状リブ
【図１】
0006375736.tif 000002
【図２】
0006375736.tif 000003
【図３】
0006375736.tif 000004
【図４】
0006375736.tif 000005
【図５】
0006375736.tif 000006